【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、
共有ブロードキャストサービスを取得することを決定することと、
前記ＵＥが加入者でない第１の移動体通信事業者（ＭＮＯ）と少なくとも１つの他のＭＮＯとによって共有されたキャリアを介して前記ＭＢＭＳサービスを受信するために前記第１のＭＮＯによって与えられた周波数に同調することと、
前記第１のＭＮＯと前記少なくとも１つの他のＭＮＯとによって共有された前記キャリアを介して前記周波数上で前記共有ブロードキャストサービスを受信することと、ここにおいて、前記共有キャリアは、前記共有ブロードキャストサービスと前記共有ブロードキャストサービスに関連する制御情報とを受信するためのスタンドアロン共有キャリアを備え、
前記スタンドアロン共有キャリアを介してフレームタイミングとシステム情報ブロック（ＳＩＢ）とを受信することと
を備える、方法。
【請求項２】
前記共有キャリアが、前記第１のＭＮＯと前記少なくとも１つの他のＭＮＯとによって実装されるマルチキャストブロードキャスト単一周波数ネットワーク（ＭＢＳＦＮ）を備える、請求項１に記載の方法。
【請求項３】
基地局におけるワイヤレス通信の方法であって、
ＵＥから共有ブロードキャストサービスについての要求を受信することと、ここにおいて、前記ＵＥは、前記基地局を動作させる第１の移動体通信事業者（ＭＮＯ）への加入者ではない、
前記第１のＭＮＯと少なくとも１つの他のＭＮＯとによって共有されたキャリアを介して前記第１のＭＮＯによって与えられた周波数上で前記共有ブロードキャストサービスをプロビジョニングすることと、ここにおいて、前記共有キャリアは、前記共有ブロードキャストサービスと前記共有ブロードキャストサービスに関連する制御情報とを与えるためのスタンドアロン共有キャリアを備え、
前記スタンドアロン共有キャリアを介してフレームタイミングとシステム情報ブロック（ＳＩＢ）とを送信することを備える、前記共有ブロードキャストサービスを取得することについての制御情報を与えることと、
前記第１のＭＮＯと前記少なくとも１つの他のＭＮＯとによって共有された前記キャリアを介して前記周波数上で前記共有ブロードキャストサービスを提供することと
を備える、方法。
【請求項４】
前記共有キャリアが、前記第１のＭＮＯと前記少なくとも１つの他のＭＮＯとによって実装されるマルチキャストブロードキャスト単一周波数ネットワーク（ＭＢＳＦＮ）をさらに備える、請求項３に記載の方法。
【請求項５】
ワイヤレス通信のための装置であって、前記装置がユーザ機器（ＵＥ）であり、
メモリと、
前記メモリに結合され、
共有ブロードキャストサービスを取得することを決定することと、
前記ＵＥが加入者でない第１の移動体通信事業者（ＭＮＯ）と少なくとも１つの他のＭＮＯとによって共有されたキャリアを介して前記共有ブロードキャストサービスを受信するために前記第１のＭＮＯによって与えられた周波数に同調することと、
前記第１のＭＮＯと前記少なくとも１つの他のＭＮＯとによって共有された前記キャリアを介して前記周波数上で前記ＭＢＭＳサービスを受信することと、ここにおいて、前記共有キャリアは、前記共有ブロードキャストサービスと前記共有ブロードキャストサービスに関連する制御情報とを受信するためのスタンドアロン共有キャリアを備え、
前記スタンドアロン共有キャリアを介してフレームタイミングとシステム情報ブロック（ＳＩＢ）とを受信することと
を行うように構成された少なくとも１つのプロセッサと
を備える、装置。
【請求項６】
前記共有キャリアが、前記第１のＭＮＯと前記少なくとも１つの他のＭＮＯとによって実装されるマルチキャストブロードキャスト単一周波数ネットワーク（ＭＢＳＦＮ）を備える、請求項５に記載の装置。
【請求項７】
基地局におけるワイヤレス通信のための装置であって、
メモリと、
前記メモリに結合され、
ＵＥから共有ブロードキャストサービスについての要求を受信することと、ここにおいて、前記ＵＥは、前記基地局を動作させる第１の移動体通信事業者（ＭＮＯ）への加入者ではない、
前記第１のＭＮＯと少なくとも１つの他のＭＮＯとによって共有されたキャリアを介して前記第１のＭＮＯによって与えられた周波数上で前記共有ブロードキャストサービスをプロビジョニングすることと、ここにおいて、前記共有キャリアは、前記共有ブロードキャストサービスと前記共有ブロードキャストサービスに関連する制御情報とを与えるためのスタンドアロン共有キャリアを備え、
前記スタンドアロン共有キャリアを介してフレームタイミングとシステム情報ブロック（ＳＩＢ）とを送信することを備える、前記共有ブロードキャストサービスを取得することについての制御情報を与えることと、
前記第１のＭＮＯと前記少なくとも１つの他のＭＮＯとによって共有された前記キャリアを介して前記周波数上で前記共有ブロードキャストサービスを提供することと
を行うように構成された少なくとも１つのプロセッサと
を備える、装置。
【請求項８】
前記共有キャリアが、前記第１のＭＮＯと前記少なくとも１つの他のＭＮＯとによって実装されるマルチキャストブロードキャスト単一周波数ネットワーク（ＭＢＳＦＮ）を備える、請求項７に記載の装置。
【請求項９】
コンピュータで実行されると、請求項１ないし４のいずれか一項に記載の方法を行うためのコンピュータ実行可能命令を備えるコンピュータプログラム。
【手続補正２】
【補正対象書類名】明細書
【補正対象項目名】０１４１
【補正方法】変更
【補正の内容】
【０１４１】
[00163]以上の説明は、任意の当業者が本明細書で説明した様々な態様を実施することができるようにするために提供されたものである。これらの態様に対する様々な修正は当業者には容易に明らかであり、本明細書において規定された一般的原理は他の態様に適用され得る。したがって、特許請求の範囲は、本明細書に示された態様に限定されるものではなく、クレーム文言に矛盾しない最大の範囲を与えられるべきであり、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。本明細書で「例示的」として記載される任意の態様は、必ずしも、他の態様よりも好ましいまたは有利であると解釈されるべきでない。別段に明記されていない限り、「いくつか（some）」という語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣとなり得、ここで、任意のそのような組合せは、Ａ、Ｂ、またはＣのうちの１つまたは複数のメンバを含み得る。本開示全体にわたって説明する種々の態様の要素に対するすべての構造的および機能的均等物は、当業者には知られているか、または後に知られるようになり、参照により本明細書に明確に組み込まれ、特許請求の範囲によって包含されることを意図する。その上、本明細書で開示されるいかなることも、そのような開示が特許請求の範囲に明示的に具陳されているのかどうかにかかわらず、公に供するものではない。「構成要素」、「機構」、「要素」、「デバイス」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
［Ｃ１］  ユーザ機器（ＵＥ）のワイヤレス通信の方法であって、
マルチメディアブロードキャストマルチキャストサービス（ＭＢＭＳ）サービスを取得することを決定することと、
前記ＵＥが加入者でない第１の移動体通信事業者（ＭＮＯ）と少なくとも１つの他のＭＮＯとによって共有されたキャリアを介して前記ＭＢＭＳサービスを受信するために前記第１のＭＮＯによって与えられた周波数に同調することと、
前記第１のＭＮＯと前記少なくとも１つの他のＭＮＯとによって共有された前記キャリアを介して前記周波数上で前記ＭＢＭＳサービスを受信することと
を備える、方法。
［Ｃ２］  前記共有キャリアが、無認可キャリアまたは共有ＭＢＭＳ補助ダウンリンク（ＳＤＬ）キャリアのうちの少なくとも１つを備える、Ｃ１に記載の方法。
［Ｃ３］  前記第１のＭＮＯの１次セル（ＰＣｅｌｌ）を通して前記ＭＢＭＳサービスについての制御情報を受信すること、ここにおいて、前記ＭＢＭＳサービスが、前記第１のＭＮＯと前記少なくとも１つの他のＭＮＯとによって共有された２次セル（ＳＣｅｌｌ）を通して受信される、をさらに備える、Ｃ２に記載の方法。
［Ｃ４］  インターネットプロトコル（ＩＰ）接続を通して前記共有ＭＢＭＳ  ＳＤＬキャリアに関する情報を受信すること、ここにおいて、前記同調することと前記受信することとが、前記共有ＭＢＭＳ  ＳＤＬキャリアに関する前記受信された情報に基づく、を備える、Ｃ２に記載の方法。
［Ｃ５］  前記共有キャリアが、前記ＭＢＭＳサービスと前記ＭＢＭＳサービスに関連する制御情報とを受信するためのスタンドアロン共有キャリアまたは共有ＭＢＭＳ補助ダウンリンク（ＳＤＬ）キャリアのうちの少なくとも１つを備える、Ｃ１に記載の方法。
［Ｃ６］  前記スタンドアロン共有キャリアを介して１次同期信号（ＰＳＳ）と第２の同期信号（ＳＳＳ）とを前もって受信することなしに前記スタンドアロン共有キャリアを介してフレームタイミングとシステム情報ブロック（ＳＩＢ）とを受信することをさらに備える、Ｃ５に記載の方法。
［Ｃ７］  前記第１のＭＮＯとの制限付きユニキャスト通信を介して前記ＭＢＭＳサービスに関連する情報を受信すること、ここにおいて、前記ＭＢＭＳサービスが前記受信された情報に基づいて受信される、をさらに備える、Ｃ１に記載の方法。
［Ｃ８］  前記共有キャリアが、前記第１のＭＮＯと前記少なくとも１つの他のＭＮＯとによって実装されるマルチキャストブロードキャスト単一周波数ネットワーク（ＭＢＳＦＮ）を備える、Ｃ１に記載の方法。
［Ｃ９］  ワイヤレス通信の方法であって、
第１の移動体通信事業者（ＭＮＯ）と少なくとも１つの他のＭＮＯとによって共有されたキャリアを介して前記第１のＭＮＯによって与えられた周波数上でマルチメディアブロードキャストマルチキャストサービス（ＭＢＭＳ）サービスをプロビジョニングすることと、
前記ＭＢＭＳサービスを取得することについての制御情報を与えることと、
前記第１のＭＮＯと前記少なくとも１つの他のＭＮＯとによって共有された前記キャリアを介して前記周波数上で前記ＭＢＭＳサービスを提供することと
を備える、方法。
［Ｃ１０］  前記共有キャリアが、無認可キャリアまたは共有ＭＢＭＳ補助ダウンリンク（ＳＤＬ）キャリアのうちの少なくとも１つを備える、Ｃ９に記載の方法。
［Ｃ１１］  前記ＭＢＭＳサービスを取得することについての前記制御情報が、前記第１のＭＮＯの１次セル（ＰＣｅｌｌ）を通して与えられる、ここにおいて、前記ＭＢＭＳサービスが、前記第１のＭＮＯと前記少なくとも１つの他のＭＮＯとによって共有された２次セル（ＳＣｅｌｌ）を通して与えられる、Ｃ１０に記載の方法。
［Ｃ１２］  前記共有キャリアが、前記ＭＢＭＳサービスと前記ＭＢＭＳサービスに関連する前記制御情報とを与えるためのスタンドアロン共有キャリアまたは共有ＭＢＭＳ補助ダウンリンク（ＳＤＬ）キャリアのうちの少なくとも１つを備える、Ｃ９に記載の方法。
［Ｃ１３］  前記制御情報を与えることが、前記スタンドアロン共有キャリアを介して１次同期信号（ＰＳＳ）と第２の同期信号（ＳＳＳ）とを前もって送信することなしに前記スタンドアロン共有キャリアを介してフレームタイミングとシステム情報ブロック（ＳＩＢ）とを送信することを備える、Ｃ１２に記載の方法。
［Ｃ１４］  前記ＭＢＭＳサービスを前記プロビジョニングすることが、前記第１のＭＮＯによって与えられた制限付きユニキャスト通信を介して前記ＭＢＭＳサービスに関連する情報を与えることを備える、Ｃ９に記載の方法。
［Ｃ１５］  前記共有キャリアが、前記第１のＭＮＯと前記少なくとも１つの他のＭＮＯとによって実装されるマルチキャストブロードキャスト単一周波数ネットワーク（ＭＢＳＦＮ）を備える、Ｃ９に記載の方法。
［Ｃ１６］  ワイヤレス通信のための装置であって、前記装置がユーザ機器（ＵＥ）であり、
メモリと、
前記メモリに結合され、
マルチメディアブロードキャストマルチキャストサービス（ＭＢＭＳ）サービスを取得することを決定することと、
前記ＵＥが加入者でない第１の移動体通信事業者（ＭＮＯ）と少なくとも１つの他のＭＮＯとによって共有されたキャリアを介して前記ＭＢＭＳサービスを受信するために前記第１のＭＮＯによって与えられた周波数に同調することと、
前記第１のＭＮＯと前記少なくとも１つの他のＭＮＯとによって共有された前記キャリアを介して前記周波数上で前記ＭＢＭＳサービスを受信することと
を行うように構成された少なくとも１つのプロセッサと
を備える、装置。
［Ｃ１７］  前記共有キャリアが、無認可キャリアまたは共有ＭＢＭＳ補助ダウンリンク（ＳＤＬ）キャリアのうちの少なくとも１つを備える、Ｃ１６に記載の装置。
［Ｃ１８］  前記少なくとも１つのプロセッサが、前記第１のＭＮＯの１次セル（ＰＣｅｌｌ）を通して前記ＭＢＭＳサービスについての制御情報を受信すること、ここにおいて、前記ＭＢＭＳサービスが、前記第１のＭＮＯと前記少なくとも１つの他のＭＮＯとによって共有された２次セル（ＳＣｅｌｌ）を通して受信される、を行うようにさらに構成された、Ｃ１７に記載の装置。
［Ｃ１９］  前記少なくとも１つのプロセッサが、インターネットプロトコル（ＩＰ）接続を通して前記共有ＭＢＭＳ  ＳＤＬキャリアに関する情報を受信することを行うようにさらに構成され、ここにおいて、前記少なくとも１つのプロセッサが、前記共有ＭＢＭＳ  ＳＤＬキャリアに関する前記受信された情報に基づいて同調することと受信することとを行うように構成された、Ｃ１７に記載の装置。
［Ｃ２０］  前記共有キャリアが、前記ＭＢＭＳサービスと前記ＭＢＭＳサービスに関連する制御情報とを受信するための共有ＭＢＭＳ補助ダウンリンク（ＳＤＬ）キャリアまたはスタンドアロン共有キャリアのうちの少なくとも１つを備える、Ｃ１６に記載の装置。
［Ｃ２１］  前記少なくとも１つのプロセッサが、前記スタンドアロン共有キャリアを介して１次同期信号（ＰＳＳ）と第２の同期信号（ＳＳＳ）とを前もって受信することなしに前記スタンドアロン共有キャリアを介してフレームタイミングとシステム情報ブロック（ＳＩＢ）とを受信することを行うようにさらに構成された、Ｃ２０に記載の装置。
［Ｃ２２］  前記少なくとも１つのプロセッサが、前記第１のＭＮＯとの制限付きユニキャスト通信を介して前記ＭＢＭＳサービスに関連する情報を受信すること、ここにおいて、前記ＭＢＭＳサービスが前記受信された情報に基づいて受信される、を行うようにさらに構成された、Ｃ１６に記載の装置。
［Ｃ２３］  前記共有キャリアが、前記第１のＭＮＯと前記少なくとも１つの他のＭＮＯとによって実装されるマルチキャストブロードキャスト単一周波数ネットワーク（ＭＢＳＦＮ）を備える、Ｃ１６に記載の装置。
［Ｃ２４］  ワイヤレス通信のための装置であって、
メモリと、
前記メモリに結合され、
第１の移動体通信事業者（ＭＮＯ）と少なくとも１つの他のＭＮＯとによって共有されたキャリアを介して前記第１のＭＮＯによって与えられた周波数上でマルチメディアブロードキャストマルチキャストサービス（ＭＢＭＳ）サービスをプロビジョニングすることと、
前記ＭＢＭＳサービスを取得することについての制御情報を与えることと、
前記第１のＭＮＯと前記少なくとも１つの他のＭＮＯとによって共有された前記キャリアを介して前記周波数上で前記ＭＢＭＳサービスを提供することと
を行うように構成された少なくとも１つのプロセッサと
を備える、装置。
［Ｃ２５］  前記共有キャリアが、無認可キャリアまたは共有ＭＢＭＳ補助ダウンリンク（ＳＤＬ）キャリアのうちの少なくとも１つを備える、Ｃ２４に記載の装置。
［Ｃ２６］  前記ＭＢＭＳサービスを取得することについての前記制御情報が、前記第１のＭＮＯの１次セル（ＰＣｅｌｌ）を通して与えられ、ここにおいて、前記ＭＢＭＳサービスが、前記第１のＭＮＯと前記少なくとも１つの他のＭＮＯとによって共有された２次セル（ＳＣｅｌｌ）を通して与えられる、Ｃ２５に記載の装置。
［Ｃ２７］  前記共有キャリアが、前記ＭＢＭＳサービスと前記ＭＢＭＳサービスに関連する前記制御情報とを与えるための共有ＭＢＭＳ補助ダウンリンク（ＳＤＬ）キャリアまたはスタンドアロン共有キャリアのうちの少なくとも１つを備える、Ｃ２４に記載の装置。
［Ｃ２８］  前記制御情報を与えるために、前記少なくとも１つのプロセッサが、前記スタンドアロン共有キャリアを介して１次同期信号（ＰＳＳ）と第２の同期信号（ＳＳＳ）とを前もって送信することなしに前記スタンドアロン共有キャリアを介してフレームタイミングとシステム情報ブロック（ＳＩＢ）とを送信することを行うように構成された、Ｃ２７に記載の装置。
［Ｃ２９］  前記ＭＢＭＳサービスを確立するために、前記少なくとも１つのプロセッサが、前記第１のＭＮＯによって与えられた制限付きユニキャスト通信を介して前記ＭＢＭＳサービスに関連する情報を与えることを行うように構成された、Ｃ２４に記載の装置。
［Ｃ３０］  前記共有キャリアが、前記第１のＭＮＯと前記少なくとも１つの他のＭＮＯとによって実装されるマルチキャストブロードキャスト単一周波数ネットワーク（ＭＢＳＦＮ）を備える、Ｃ２４に記載の装置。